(57)【要約】【課題】器具本体から透光パネルを外す作業及び器具本体に透光パネルを取り付ける作業を容易に行うことのできる照明器具を提供する。【解決手段】器具本体１は、天井と対向する主部１０と、主部１０の左側の長辺から略左下方向に傾斜する第１の傾斜部１１と、主部１０の右側の長辺から略右下方向に傾斜する第２の傾斜部１２と、第１の傾斜部１１の下端縁から延設されて主部１０と平行な掛止部１３とから成り、透光パネル２は、上面を開口した略箱体のパネル本体２０と、該開口面の左側の長辺から延設された第１の当接部２１と、開口面の右側の長辺から延設された第２の当接部２２を備え、第１の当接部２１には、内側に向かって突出する一対の係止片２３を設け、第２の当接部２２には、第２の傾斜部２２に沿うように突出する一対の固定片２４を設け、第１の傾斜部１１には、係止片２３が係止する一対の係止孔１４を設けた。【選択図】図１
2008181809.tif 000002
【特許請求の範囲】
【請求項１】
直管型蛍光ランプが着脱自在に装着される一乃至複数対のソケット及び蛍光ランプを点灯させる安定器が取り付けられて天井に吊持される器具本体と、器具本体に取り付けられて蛍光ランプを覆う透光性材料から成る透光パネルとを備えた照明器具であって、器具本体は、天井と対向する主部と、主部の対向する１組の辺からそれぞれ延設されて互いに離れ且つ天井から離れる方向に傾斜した第１の傾斜部及び第２の傾斜部と、第１の傾斜部の主部と接する１辺と対向する１辺から延設されて主部と平行な掛止部とから成り、透光パネルは、器具本体と対向する一面を開口した箱体であって、該開口部の対向する１組の辺からそれぞれ延設されて各々掛止部と第２の傾斜部と当接する第１の当接部及び第２の当接部を備え、第１の当接部には、内側に向かって突出する一対の係止片が設けられ、第２の当接部には、第２の傾斜部に沿うように突出し且つ第２の傾斜部に固定される一対の固定片が設けられ、第１の傾斜部には、前記係止片が係止する一対の係止孔が設けられたことを特徴とする照明器具。
【請求項２】
前記第１の傾斜部には、係止孔の内周縁から突出する突起が形成され、透光パネルの係止片には、突起が嵌合する嵌合孔が設けられたことを特徴とする請求項１記載の照明器具。 
【発明の詳細な説明】
【技術分野】
【０００１】
本発明は、天井等に取り付けられる吊り下げ型の照明器具に関する。
【背景技術】
【０００２】
従来から器具本体が天井に取り付けられる蛍光ランプを光源とした照明器具が提供されており、例えば特許文献１に開示されているようなものがある。この照明器具は、一面を開口した箱体に形成されて反射板及び蛍光ランプが収納された器具本体と、器具本体の開口部周縁に合致する枠体及び器具本体の開口部を覆うように枠体に支持された制光体から成る透光パネルと、本体と透光パネルとを連結する４つの連結部とを備え、連結部は、本体又は枠体のうちの一方を構成する垂直部材の側壁に設けられたＶ字状の捩りコイルばねと、該捩りコイルばねが設けられた側と対向した本体又は枠体の垂直部材の側壁に、捩りコイルばねの基端側に切欠孔が位置するように水平方向に折曲して切り起こし形成されたばね受台と、該ばね受台に側壁の延在方向に沿って直列的に形成されて捩りコイルばねのアーム部を両端縁でそれぞれ弾性係止した一対の摺接孔とから成る。
【０００３】
上記従来例では、透光パネルの両側を持って強く押し下げると、各連結部の捩りコイルばねのアーム部がばね受台の摺接孔を弾性力に抗しつつ摺動降下されて透光パネルが降下し、透光パネルと器具本体との間に所定の隙間を生じさせることができる。したがって、該隙間を利用して、例えば蛍光ランプの交換等の作業を行うことができる。
【特許文献１】特開平９−１８０５２９号公報
【発明の開示】
【発明が解決しようとする課題】
【０００４】
ところで、上記従来例は直付型の照明器具であって器具本体が天井に固定されているため、透光パネルのみを手に持って降下させることで作業を行うことができる。しかしながら、天井に設けられた吊具によって器具本体を吊持する吊り下げ型の照明器具では、器具本体が天井に固定されていないために、器具本体が揺動して位置が不安定となって透光パネルを降下させるのが困難である。このため、器具本体が揺動しないように押さえながら透光パネルを降下させることが望ましいが、従来例では両手で透光パネルを持たなければならず、したがって蛍光ランプ交換時などに器具本体から透光パネルを取り外す作業及び器具本体に透光パネルを取り付ける作業が困難になるという問題があった。
【０００５】
本発明は、上記の点に鑑みて為されたもので、器具本体から透光パネルを取り外す作業及び器具本体に透光パネルを取り付ける作業を容易に行うことのできる照明器具を提供することを目的とする。
【課題を解決するための手段】
【０００６】
請求項１の発明は、上記目的を達成するために、直管型蛍光ランプが着脱自在に装着される一乃至複数対のソケット及び蛍光ランプを点灯させる安定器が取り付けられて天井に吊持される器具本体と、器具本体に取り付けられて蛍光ランプを覆う透光性材料から成る透光パネルとを備えた照明器具であって、器具本体は、天井と対向する主部と、主部の対向する１組の辺からそれぞれ延設されて互いに離れ且つ天井から離れる方向に傾斜した第１の傾斜部及び第２の傾斜部と、第１の傾斜部の主部と接する１辺と対向する１辺から延設されて主部と平行な掛止部とから成り、透光パネルは、器具本体と対向する一面を開口した箱体であって、該開口部の対向する１組の辺からそれぞれ延設されて各々掛止部と第２の傾斜部と当接する第１の当接部及び第２の当接部を備え、第１の当接部には、内側に向かって突出する一対の係止片が設けられ、第２の当接部には、第２の傾斜部に沿うように突出し且つ第２の傾斜部に固定される一対の固定片が設けられ、第１の傾斜部には、前記係止片が係止する一対の係止孔が設けられたことを特徴とする。
【０００７】
請求項２の発明は、請求項１の発明において、第１の傾斜部には、係止孔の内周縁から突出する突起が形成され、透光パネルの係止片には、突起が嵌合する嵌合孔が設けられたことを特徴とする。
【発明の効果】
【０００８】
請求項１の発明によれば、器具本体の第１の傾斜部に設けられた係止孔に透光パネルの第１の当接部に設けられた係止片を係止し且つ掛止部と第１の当接部とを当接させることで、透光パネルが器具本体から脱落することがないので、一方の手で器具本体を押さえながら他方の手で透光パネルを扱うことができ、したがって器具本体に透光パネルを取り付ける作業及び器具本体から透光パネルを取り外す作業を容易に行うことができる。
【０００９】
請求項２の発明によれば、係止孔に係止片を係止する際に、係止孔の内周縁に設けられた突起を係止片に設けられた嵌合孔に嵌合させることで、透光パネルが器具本体から脱落するのをより確実に防止することができる。
【発明を実施するための最良の形態】
【００１０】
以下、本発明の照明器具の実施形態について図面を用いて説明する。但し、以下の説明では、図１（ａ）における上下左右を上下左右方向と定めるものとする。本実施形態は、図２に示すように、２本の直管型の蛍光ランプ３と、各蛍光ランプ３がそれぞれ着脱自在に装着される２対のソケット（図示せず）と、ソケットを介して蛍光ランプ３に点灯するのに必要な電力を供給する安定器（図示せず）と、ソケット及び安定器が取り付けられて天井（図示せず）に設けられた吊具（図示せず）からのワイヤ４によって吊持される器具本体１と、器具本体１に取り付けられて蛍光ランプ３を覆う透光パネル２とから成る。
【００１１】
器具本体１は、図３（ａ）に示すように、天井と対向する略矩形状の主部１０と、主部１０の左側の長辺から延設されて略左下方向に傾斜する略矩形状の第１の傾斜部１１と、主部１０の右側の長辺から延設されて略右下方向に傾斜する略矩形状の第２の傾斜部１２と、第１の傾斜部１１の下端縁から延設されて主部１０と平行な略矩形状の掛止部１３とから成る。主部１０の上面には、その長手方向における両端部にそれぞれ略矩形状の吊具取付孔１０ａが２つずつ貫設されており、該吊具取付孔１０ａに吊具のワイヤ４の先端部を通し、図示しない固定手段でワイヤ４の先端部を主部１０に固定することで器具本体１がワイヤ４によって天井に吊持される。
【００１２】
第１の傾斜部１１には、その長手方向における両端部にそれぞれ略矩形状の係止孔１４が貫設されている。また、各係止孔１４の内周下端縁からは略矩形状の突起１４ａが突設されている。第２の傾斜部１２には、図３（ｂ）に示すように、その長手方向における両端部にそれぞれ略円形状の取付孔１５が貫設されている。尚、器具本体１の主部１０の下面には、前述の２対のソケット３及び安定器が取り付けられているが、本願発明の特徴的部分ではないので、ここでは図示及び説明を省略する。
【００１３】
透光パネル２は、透光性を有する樹脂材料から形成され、図４（ａ）に示すように、上面を開口した略箱体のパネル本体２０と、該開口面の左側の長辺から右側に向かって延設された略矩形状の第１の当接部２１と、開口面の右側の長辺から左側に向かって延設された略矩形状の第２の当接部２２とから成り、第１の当接部２１及び第２の当接部２２は、器具本体１の掛止部１３と略等しい大きさに形成されている。
【００１４】
第一の当接部２１の右側の長辺の両端部には、それぞれ略矩形状の金属製の係止片２３が右側に向かって突出するように設けられている。また、各係止片２３には、前記突起１４ａが嵌合する略矩形状の嵌合孔２３ａが貫設されている。第２の当接部２２の左側の長辺の両端部には、図４（ｂ）に示すように、それぞれ略矩形状の金属製の固定片２４が第２の傾斜部１２の傾斜方向に沿って突出するように設けられており、各固定片２４の上端部にはそれぞれ略円形状のねじ挿通孔２４ａが貫設されている。
【００１５】
係止片２３は、図４（ｃ）に示すように、何れもその下端縁が略矩形状の金属製の第１の取付片２３ｂと一体に形成されており、各第１の取付片２３ｂには、それぞれ長手方向に亘って一定の間隔で３つのねじ穴２３ｃが貫設されている。而して、第１の取付片２３ｂのねじ穴２３ｃと第１の当接部２１にそれぞれ設けられたねじ穴（図示せず）とを重ね合わせて固定ねじ６で螺合することにより、第１の取付片２３ｂはそれぞれ第１の当接部２１の裏面に取り付けられる。
【００１６】
固定片２４は、係止片２３と同様に、何れもその下端縁が略矩形状の金属製の第２の取付片２４ｂと一体に形成されており、各第２の取付片２４ｂには、それぞれ長手方向に亘って一定の間隔で３つのねじ穴２４ｃが貫設されている（図４（ｄ）参照）。而して、第２の取付片２４ｂのねじ穴２４ｃと第２の当接部２２にそれぞれ設けられたねじ穴（図示せず）とを重ね合わせて固定ねじ６で螺合することにより、第２の取付片２４ｂはそれぞれ第２の当接部２２の裏面に取り付けられる。
【００１７】
尚、第１の取付片２３ｂ及び第２の取付片２４ｂは、何れもその長手方向が係止片２３及び固定片２４の幅よりも長くなるように形成されている。このため、各取付片２３ｂ，２４ｂと第１の当接部２１及び第２の当接部２２との接触面積が大きくなり、各取付片２３ｂ，２４ｂが透光パネル２に対して強固に取り付けられるようになっている。また、本実施形態では、１つの第１の取付片２３ｂに対して１つの係止片２３がそれぞれ一体に形成されているが、２つの第１の取付片２３ｂ同士を連続一体に形成しても構わない。この場合、透光パネル２の長手方向に亘って第１の取付片２３ｂと第１の当接部２１とが接触するため、第１の取付片２３ｂを透光パネル２に対して更に強固に取り付けることが可能である。同様に、固定片２４が各々一体形成された２つの第２の取付片２４ｂ同士を連続一体に形成しても構わない。
【００１８】
以下、透光パネル２を器具本体１に取り付ける手順を図面を用いて説明する。まず、図１（ａ）に示すように、透光パネル２の第１の当接部２１に設けられた一対の係止片２３をそれぞれ器具本体１の第１の傾斜部１１に設けられた一対の係止孔１４に挿入して係止するとともに、係止孔１４の内周縁に設けられた突起１４ａを係止片２３に設けられた嵌合孔２３ａに嵌合することで、透光パネル２が器具本体１に対して仮止めされる（図１（ｂ）、（ｄ）参照）。次に、透光パネル２の第１の当接部２１と器具本体１の掛止部１３とを当接させるとともに、透光パネル２の第２の当接部２２の一対の固定片２４を器具本体１の第２の傾斜部１２の内側に当接させ、固定片２４に設けられたねじ挿通孔２４ａと第２の傾斜部１２に設けられた取付孔１５とを重ね合わせる。最後に、図１（ｃ）に示すように、取付ねじ５を取付孔１５及びねじ挿通孔２４ａに螺合することで透光パネル２が器具本体１に取り付けられる。透光パネル２を器具本体１から取り外す場合には、取付ねじ５を外すとともに、係止片２３を係止孔１４から引き抜くことで行う。
【００１９】
上述のように、器具本体１の第１の傾斜部１１に設けられた係止孔１４に透光パネル２の第１の当接部２１に設けられた係止片２３を挿入し、器具本体１の掛止部１３が透光パネル２の第１の当接部２１に当接することで、透光パネル２が器具本体１から脱落するのを防止することができる。更には、係止孔１４の内周に設けられた突起１４ａに係止片２３に設けられた嵌合孔２３ａを嵌合することで、脱落防止効果をより高めることができる。このため、器具本体１の係止孔１４に透光パネル２の係止片２３を係止した後は、器具本体１を一方の手で押さえながら他方の手で透光パネル２を持って上記一連の作業を行うことができるので、器具本体１に透光パネル２を取り付ける作業及び器具本体１から透光パネル２を取り外す作業を容易に行うことができる。
【図面の簡単な説明】
【００２０】
【図１】本発明の照明器具の実施形態を示す図で、（ａ）は透光パネルを取り付ける前の状態を示す断面図で、（ｂ）は係止孔に係止片を係止させた状態を示す断面図で、（ｃ）は取付ねじを取り付ける前の状態を示す断面図で、（ｄ）は係止片及び係止孔の拡大図で、（ｅ）は固定片の拡大図である。
【図２】同上の全体斜視図である。
【図３】同上の器具本体を示す図で、（ａ）は第１の傾斜部側から見た斜視図で、（ｂ）は第２の傾斜部側から見た斜視図である。
【図４】同上の透光パネルを示す図で、（ａ）は第１の当接部側から見た斜視図で、（ｂ）は第２の当接部側から見た斜視図で、（ｃ）は係止片及び第１の取付片の拡大図で、（ｄ）は固定片及び第２の取付片の拡大図である。
【符号の説明】
【００２１】
１  器具本体
１０  主部
１１  第１の傾斜部
１２  第２の傾斜部
１３  掛止部
１４  係止孔
２  透光パネル
２１  第１の当接部
２２  第２の当接部
２３  係止片
２４  固定片
３  蛍光ランプ 
【図１】
2008181809.tif 000003
【図２】
2008181809.tif 000004
【図３】
2008181809.tif 000005
【図４】
2008181809.tif 000006